(57)【特許請求の範囲】
【請求項１】
装置本体の一側面に沿う位置と上記装置本体から突出された位置との間に亘って移動可に可能に上記装置本体に取り付けられた音声入力手段と、
上記音声入力手段からの出力信号を送信のための変調処理を施して送信するとともに受信した信号に復調処理を施して出力する送受信手段と、
複数の操作キーを有する操作入力手段と、
上記音声入力手段の位置を検出する検出手段と、
上記操作入力手段の少なくとも一つの操作キーの操作に基づいて、送受信手段の送受信動作を制御するとともに、上記検出手段からの検出信号が上記音声入力手段が上記装置本体の一側面に沿う位置にあることを示しているときには、上記操作入力手段における所定の操作キーによる入力動作を無効とする制御手段と
を備えてなる携帯通信端末装置。
【請求項２】
記制御手段は、上記操作入力手段の複数の操作キーのうちのある特定の操作キーが操作されたときには、上記無効とされた所定の操作キーによる入力操作を受け付けることを特徴とする請求の範囲第１項記載の携帯通信端末装置。
【請求項３】
上記制御手段は、上記操作入力手段の上記ある特定の操作キーが再び操作されたときには、上記所定の操作キーによる入力操作を再び無効とすることを特徴とする請求の範囲第２項記載の携帯通信端末装置。
【発明の詳細な説明】
技術分野
本発明は、通信端末装置に関し、さらに詳しくは、装置本体側に収納された位置と、この収納位置から取り出され通話を可能となす通話位置との間に亘って移動操作されるマイクロホン部を備えた音声入力部を備え、この音声入力部の本体に対する位置を検出し、その検出状態に応じて操作入力機構による入力操作を制御するようにした通信端末装置に関する。
背景技術
従来、無線を利用した携帯電話システムが実用化されている。この携帯電話システムにおいては、多様な情報の伝達形態を実行するため、このシステムに用いられる通信端末装置の多機能化が図られている。この携帯電話システムに用いられる通信端末装置は、装置本体に内蔵した記憶部に予め記憶した電話番号を呼び出して自動的に発呼させる自動ダンヤル機能や、短縮ダイヤルを用いた発呼等の機能を備えてている。さらに、記憶部に電話番号を記憶させる電話帳機能を備えている。
また、携帯電話システムに用いられる通信端末装置は、携帯して用いられるものであるので、小型化及び軽量化の要求が高い。そこで、この種の通信端末装置にあっては、ダイヤルキーのシートスイッチ化、高性能のバッテリの開発、電子部品の高集積化等によって、大幅な軽量化が実現されている。
ところで、通信端末装置は、送受信状態において、送話器と受話器とが口と耳との間隔分離間して配置される必要があり、全体の大きさが送話器と受話器との間隔によって決定されることになる。すなわち、通信端末装置においては、送話器と受話器との直線距離は約１３．５ｃｍ〜１４．３ｃｍ程度に、またその角度は２３．３°〜１３．４°程度に設定することが好ましいとされている。このような設計条件を満たしながら小型化を実現するため、例えば、全体を送話器部分と受話器部分に分割構成し、これら２つのブロックを折り畳み可能に構成した通信端末装置が用いられている。この折り畳み可能とした通信端末装置は、送受信を行わない携帯時には、送話器部分と受話器部分を折り畳むことによって、いわゆるポケットサイズまで小型化され、送受信時には、送話器部分と受話器部分を開くことによって、送話器と受話器との距離を口と耳との間隔分に拡大可能としている。
発明の開示
本発明の目的は、装置本体の小型化及び軽量化を実現しなながら、多数の機能を容易に実行可能となす通信端末装置を提供することを目的に提案されたものである。
本発明の他の目的は、操作機能の多機能化を実現しながら各機能を実行するための操作キーの増加を図ることなく、装置本体の小型化を実現し得る通信端末装置を提供することにある。
本発明のさらに他の目的は、通話時において装置本体に対する位置が可変される音声入力部の位置を検出し、その検出信号に基づいて操作入力部から入力される動作モードを制御ることにより、誤操作を生じることなく各操作モードを実行可能となす通信端末装置を提供することにある。
上述したような目的を達成するために提案される本発明に係る通信端末装置は、通話時に、装置本体に対し近接した位置より装置本体に対し離隔した位置に移動される音声入力部と、音声入力部からの出力信号を送信のための変調処理を施して送信するとともに受信した信号に変調処理を施して出力する送受信回路部と、複数の操作キーを有する操作入力機構と、音声入力部の位置を検出する検出機構と、操作入力機構の少なくとも一つの操作キーの操作に基づいて、少なくとも送受信回路部の送受信動作を制御し、検出機構からの検出信号に基づいて操作入力機構による入力動作を制御する制御部とを備えて構成されたものである。
ここで、制御部は、検出機構からの検出信号が音声入力部が装置本体に近接した位置にあることを示しているときには、操作入力機構による入力操作を無効とする。
また、制御部は、操作入力機構の複数の操作キーのうちのある特定の操作キーが操作されたときには、操作入力機構による入力操作を受け付ける。
さらにまた、制御部は、操作入力機構のある特定の操作キーが再び操作されたときには、操作入力機構による入力操作を再び無効とする。
さらにまた、制御部は、操作入力機構の複数の操作キーのうちのある特定の操作キーが操作されて操作入力機構による入力操作を受け付ける状態となった後、所定の期間、操作入力機構の操作が行われなかったときには、操作入力機構による入力操作を再び無効とする。
本発明のさらに他の目的、本発明により実現される利点は、以下に図面を参照して説明される具体的な実施例の説明から一層明らかになされるであろう。
【図面の簡単な説明】
図１は、送話器を装置本体から開放した位置に回動させた状態を示す一部破断斜視図である。
図２は、送話器を装置本体に収納させた状態を平面図である。
図３は、通信端末装置の内部に設けられる回路構成を示すブロック図である。
図４は、小フォントの説明に供する略線図である。
図５は、大フォントの説明に供する略線図である。
図６は、入力文字数の違いによるフォントの切換の説明に供する状態遷移図である。
図７は、メニューキーを用いた表示画面の切換えを示す略線図である。
図８は、クリアキーを用いた表示画面の切換えを示す略線図である。
図９は、回転操作キーの概略機構を示す略線的平面図である。
図１０は、ロータリーエンコーダの構成を示す平面図である。
図１１は、ロータリーエンコーダからの出力波形を示す信号波形図である。
図１２は、回転操作キーを用いた表示画面の切換えを示す状態遷移図である。
図１３は、送話器の位置に応じた操作入力機構の操作手順を示すフローチャートである。
図１４は、各種の発呼手順の説明に供する状態遷移図である。
図１５は、各種の発呼手順の説明に供する状態遷移図である。
図１６は、電話帳リストからの発呼手順を示す状態遷移図である。
図１７は、電話帳リストにおける文字配列を示す文字配列図である。
図１８は、数字キーを用いた検索の説明に供する状態遷移図である。
図１９は、詳細情報表示画面からリスト表示画面への復帰の様子を示す状態遷移図である。
図２０は、電話帳リスト画面での新規登録手順の一例を示す状態遷移図である。
図２１は、電話帳リスト画面での新規登録手順の一例を示す状態遷移図である。
図２２は、電話帳リスト画面に表示されている表示画面の編集手順を示す状態遷移図である。
図２３は、メニューリスト画面を示す状態遷移図である。
図２４は、モード設定画面の詳細表示画面を示す状態遷移図である。
図２５は、各種モードの設定用リスト画面の詳細表示画面を示す状態遷移図である。
図２６は、リンガ設定画面の詳細表示画面を示す状態遷移図である。
図２７は、ボリューム設定画面の詳細表示画面を示す状態遷移図である。
図２８は、スクロール機能の説明に供する状態遷移図である。
図２９は、スクロール機能の説明に供する状態遷移図である。
図３０は、詳細情報表示画面から他の画面への切換え例を示す状態遷移図である。
発明を実施するための最良の形態
本発明に係る通信端末装置の具体的な実施例を図面を参照して説明する。
本発明に係る通信端末装置は、図１及び図２に示すように、装置本体１と、この装置本体１の一側面に回動可能に配設された音声入力部を構成する送話器２と、装置本体１に一体的に接着されるバッテリーが内蔵された電池ボックス３を組み合わせて構成され、全体形状を手のひらサイズの大きさに形成されている。
装置本体１は、合成樹脂材料を成形して形成された一対の上下ハーフ１ａ，１ｂを突き合わせ結合して方形の筺体として形成され、その内部に受信信号に応じた可聴音を出力するスピーカユニットを備えたスピーカ部７、通話回路部品、ダイヤル回路部品、通信回路部品、電源回路等が実装された回路基板が内蔵されている。
この装置本体１の長手方向の一側面は、略平坦な面として形成され、後述するように送話器２の配設部として構成される。また、装置本体１の送話器２が配設される面と直交する上面には、伸縮自在なアンテナ８が配設されている。さらに、装置本体１の長手方向の他側面の上端側に位置して、図１及び図２に示すように、略円弧状に膨出形成された膨出部５が形成されている。
上述のように送話器２、アンテナ８とを装置本体１の一側面側に位置して配設し、装置本体１の他側面側に円弧状の膨出部５を形成してなる本発明に係る通信端末装置は、左手で把持したとき、膨出部５が親指の付け根に位置するとともに送話器２及びアンテナ８が他の指先側に位置するので、確実に左手で安定した状態で把持できる。
そして、装置本体１の前面側であって膨出部５が形成された位置に対向する領域は、図１及び図２に示すように、なだらかに湾曲して膨出形成されたスピーカ部７の配設部９となされている。スピーカ部７は、回路基板に実装されて装置本体１に内蔵されている。このスピーカ部７が配設される配設部９には、使用時に耳介の一部を臨ませる円形をなす凹部９ａが形成されている。この凹部９ａの底面には、複数の放音孔７ａが穿設されている。
装置本体１のスピーカ部７が配設された前面側の中央部から下方側に亘る領域には、操作入力機構１０を構成する複数の操作キーが配設されている。この複数の操作キーは、電源キー１０ａ、「０」〜「９」の数字キー１０ｂ、「＃」キー１０ｃ、「＊」キー１０ｄ、センドキー１０ｅ、エンドキー１０ｆ、メニューキー１０ｇ、クリアキー１０ｈから構成されている。これら各キー１０ａ〜１０ｈは、シート式のスイッチによって構成され、可撓性を有する接続ケーブルを介して装置本体１に内蔵される回路基板に電気的に接続されている。
また、装置本体１の上面側であって、アンテナ８が配設された位置と対向する側には、操作入力機構を構成する録音キー１０ｉが設けられている。さらに、装置本体１の他側面側であって膨出部５の基部付近に位置して、操作入力機構を構成する回転操作キー１０ｊが配設されている。
また、装置本体１の一側面側に配設される送話器２は、図１及び図２に示すように、装置本体１の高さと略等しい長さを有する長尺なアーム部１２を備え、このアーム部１２の先端側にマイクロホンユニット１３を収納している。このマイクロホンユニット１３を収納するアーム部１２は、ゴム等の弾性を有する材料によって形成されている。なお、弾性材料によって形成されたアーム部１２内には、このアーム部１２が撓み変形されたときに、容易に復元されるように金属の線状バネ等からなるバネ部材が配設されている。また、アーム部１２のマイクロホンユニット１３が対向する部分には、集音孔１３ａが穿設されている。
送話器２は、マイクロホンユニット１３が配置されたアーム部１２の先端側と対向する基端部を、装置本体１の一側面側の下端部に回動支持機構１４を介して支持されて装置本体１に取付けられている。そして、送話器２は、回動支持機構１４を中心として、図１中矢印Ａ方向又は矢印Ｂ方向に回動操作される。すなわち、送話器２は、回動支持機構１４を中心をして、図２に示すように装置本体１の一側面側に沿って延在する収納位置と、図１に示すように装置本体１から先端側のマイクロホンユニット１３が隔離した位置に取り出された通話を可能となす送受信位置との間に亘って回動操作される。
ところで、装置本体１の一側面側には、送話器２が装置本体１の一側面側に沿って延在する収納位置に回動操作されたとき、この送話器２を収納する収納部を構成する保持体１５が下ハーフ６から突設されるように設けられている。この保持部１５は、断面Ｌ字状をなすように形成され、装置本体１の一側面側に沿って回動される送信器２が装置本体１の前面側に臨む開放された部分を介して装脱される。このように保持体１５を設けることにより、長尺なアーム部１２を備えて構成された送話器２の保護を図って収納位置に収納保持させることができる。
また、装置本体１の一側面側の上端側に位置して、保持部１５に収納された送話器２に係合し、この送話器２を収納位置にロックするロック機能１６が設けられている。このロック機構１６は、図２に示すように、装置本体１の一側面から突出し、送話器２の装置本体１の一側面と対向する面に形成した係合凹部１７に係合するロックピン１８と、このロックピン１８を装置本体１の一側面から突出させるように付勢する板バネ１９と、図１に示すように、装置本体１の一側面に設けられ、板バネ１９に付勢力に抗してロックピン１８を装置本体１内に引き込ませ送話器２の係合凹部１７に対する係合を解除させる操作子２０とから構成されている。このように、保持部１５に収納された送話器２をロックするロック機構１６を設けることにより、送話器２は、保持部１５に収納された状態を確実に維持され、不用意な回動が確実に規制されてなるので、誤操作が確実に防止される。
ロック機構１６にロックされて保持部１５に収納された送話器２は、操作子２０をスライド操作して、ロックピン１８を板バネ１９の付勢力に抗して装置本体１内に移動させて送話器２の係合凹部１７に対する係合を解除させることにより装置本体１に対するロックが解除され、回動支持機構１４を中心して図１中矢印Ａ方向に回動可能な状態となる。このとき、回動支持機構１４に、送話器２を図１中矢印Ａ方向に回動付勢するトーションバネ等の回動習性を付与するバネ部材を配設しておくことにより、ロック機構１６のロックを解除すると、送話器２は自動的に図１中矢印Ａ方向に回動され、図１に示すように、マイクロホンユニット１３を装置本体１から隔離した突出した位置に位置させる。
なお、送話器２を装置本体１に回動可能に支持する回動支持機能１４に、送話器２を保持部１５から図１中矢印Ａ方向に回動させる方向に付勢されるバネ部材を配設した場合であっても、送話器２は、保持体１５に収納された位置にあるとき、ロック機構１６によってロックされてなるので、収納位置への確実な保持が実現されてなる。
また、装置本体１と送話器２との間には、送話器２の装置本体１に対する位置、すなわち、送話器２が装置本体１に対し収納された位置にあるか、マイクロホンユニット１３を装置本体１から隔離させた突出させた位置に回動された位置にあるかを検出する検出機構２１が設けられている。この検出機構２１は、収納位置に回動された送話器２が延在する装置本体１の一側面に配設されたホール素子２２と、収納位置に回動されときホール素子２２と対向するように送話器２の装置本体１の一側面に対向する面に配設された被検出部を構成する磁性体２３とから構成されている。ホール素子２２は、装置本体１内に配設され、装置本体１の一側面に形成された開口部２４を介して外方に臨まされている。また、磁性体２３は、マグネットや磁性を有する金属等の磁性板によって構成され、送話器２の装置本体１の一側面に対向する面に接合等によって取付けられている。
そして、検出機構２１は、送話器２が装置本体１の一側面に沿って延在され保持体１５に収納された状態にあるとき、ホール素子２２に磁性体２３が対向し、磁性体２３からの磁束がホール素子２２によって検出されることによって、送話器２が収納位置にあることを示す検出信号を出力し、送話器２が保持体１５から取り出された位置に回動された場合に、磁性体２３からの磁束がホール素子２２によって検出されなくなることによって、送話器２が装置本体１側から取り出され、マイクロホンユニット１３を装置本体１から隔離した位置に回動されたことを示す検出信号を出力する。
なお、送話器２の装置本体１に対する位置を検出する検出機構２１は、磁気的な検出手段を用いる以外に、光学的な検出手段を用いてもよい。例えば、装置本体１側に発光受光複合素子を設け、送話器２側に反射板を設け、発光素子から出射された光が受光素子によって検出されるか否かによって送話器２の装置本体１に対する位置を検出するようにしてもよい。
また、装置本体１の複数の操作キー１０ａ〜１０ｈからなる操作キー機構１０が配設された前面側には、図１及び図２に示すように、スピーカ部７の配設部９と操作キー機構１０との間の略中央部に位置して液晶ディスプレイ等から成る表示部２５が配設されている。
さらに、装置本体１に内蔵された回路基板を介して制御部を構成する中央演算処理装置（ＣＰＵ）３１が配設されている。
ＣＰＵ３１は、図３に示すように、表示部駆動回路３２を介して表示部２５を制御し、操作キー機構１０から入力された指示に応じた情報を適切な大きさのフォントで表示させる。
また、ＣＰＵ３１には、図３に示すように、装置本体１に対する送話器２の位置、すなわち送話器２が装置本体１の一側面に沿って延在される収納体１５に収納された位置にあるか、あるいは装置本体１から回動され、マイクロホンユニット１３が装置本体１から隔離された位置にあるか否かを検出する検出機構２１からの検出信号が入力される。
ここで、ＣＰＵ３１は、ＲＯＭ３３に記憶されているプログラムやＲＡＭ３４に読み込んだデータに基づいて動作する。また、ＣＰＵ３１は、装置本体１に内蔵された回路基板を介して構成された送受信回路部３５を制御し、これに接続されたアンテナ８を介して他の通信端末との間で情報を送受するようになされている。
なお、送受信回路部３５は、送話器２のマイクロホンユニット１３によって集音された音声に応じた出力信号を送信ための変調処理を施すとともに、受信信号に復調処理を施して出力する。
また、ＣＰＵ３１には、図３に示すように、カードソケット３６が接続されており、ここに挿入接続された加入者ＩＤカードであるＳＩＭ（Subscriber Identity Module）カード３７から加入者に関する一切の管理情報を読み出し、この管理情報に基づいて通信端末装置の操作モードの制御を行う。
なお、表示部２５を構成する本実施例に用いられる液晶ディスプレイの表示面には縦軸に３２ドット×９７ドットの画素がマトリクス状に配列されており、これらに２種類のフォントで情報の表示が行われる。１つは、図４（Ａ）及び（Ｂ）に示すように、１文字を縦５ドット×横７ドットで表示する小フォントであり、他の１つは、図５（Ａ）及び（Ｂ）に示すように、１文字を縦１５ドット×横８ドットで表示する大フォントである。従って、小フォントを用いれば縦４文字、横１６文字の文字を表示することができ、大フォントを用いれば縦２文字、横１０文字の文字を表示することができるようになされている。
ここで大フォントは原則としてユーザが入力する文字を表示するのに用いられ、小フォントは装置側のメッセージ等を表示するのに用いられるようになされている。但し、ユーザが入力する文字数が所定の文字数（２０文字）を越える場合にはフォントサイズは大フォントから小フォントに切り替えられるようになされている。
次に、表示部２５に表示される表示例を図６に示す。まず、入力文字数が１０文字以下の間は上段に表示されている小フォントのメッセージ「input dial No」の下段にユーザが入力した文字が大フォントで次々に表示される。そして入力文字数が１０文字を越えると、それまでメッセージが表示されていた上段にメッセージに代えて最初の１０文字が大フォントで表示され、下段に１１文字以降の文字が大フォントで表示される。やがて入力文字数が２０文字に達し、これを越えると、全ての入力文字が小フォントで表示されるといった具合である。
このようにフォントの切替機能が設けられていることにより、入力文字数が少ない間は、大きな文字で入力内容を確認しながら入力でき、誤入力を減らすことができる。また、文字数が多い場合にも同一項目についての入力情報を、１画面上で確認できることにより入力内容の把握が容易になる。
ここで、装置本体１の前面側に配設された操作キー機構１０を構成する各操作キー１０ａ〜１０ｈ、装置本体１の上面に配設された録音キー１０ｉ及び装置本体１の他側面に配設された回転操作キー１０ｊの各機能を説明する。
装置本体１の前面側に配設された操作キー機構１０を構成する電源キー１０ａは、装置本体１の内部回路に電源を投入するのに用いられるキーである。この電源キー１０ａは、１度目の押下操作で電源が投入され、２度目の押下操作で電源の供給を切るように構成されている。但し、電源キー１０ａの操作によって電源が投入された後も３０秒間に亘ってユーザからパーソナルアイデンテティ番号（ＰＩＮ：Personal ID number）が入力されなかった場合には、ＣＰＵ３１がこれを検知して自動的に電源を切る。これにより誤動作によって電源が入ったままの状態が規制される。
次に、装置本体１の前面側に配設された１０個の数字キー１０ｂは、数字の入力や選択の他、アルファベットの入力に用いられる。この実施例の場合、「０」及び「１」キーを除く８つの数字キー「２」〜「９」に複数のアルファベットがそれぞれ割り当てられており、これらによってアルファベットの入力が行われる。例えば「２」には「ａ」〜「ｃ」、「３」には「ｄ」〜「ｆ」が割り当てられ、他のキーにも同様にアルファベットが割り当てられている。
アルファベットを入力する際には、同じキーを１回押すことで１番目の文字が入力され、２回押すことで２番目の文字が入力され、３回押すことで３番目の文字が順送りに入力される。また、各数字キー１０ｂは、表示項目の選択に用いることができる他、電話帳リスト表示画面で所定時間、例えば１秒間押し続けることにより数字に対応する相手先への発呼開始を指示できる。いわゆる短縮ダイヤル機能を実行する。
センドキー１０ｅは、電話帳リスト表示画面で選択された相手先への発呼開始を指示するのに用いられる他、過去のダイヤル履歴を呼び出すのために用いられる。
エンドキー１０ｆは、通話の終了を指示するのに用いられる。この通話の終了は、送話器２を装置本体１に対し近接し位置に回動させた収納位置に移動させることによっても通話の終了が指示される。すなわち、送話器２が装置本体１から突出された図１に示す状態から回動指示機構１４を中心にして図１中矢印Ｂ方向に回動され、図２に示すように装置本体１の一側面に沿って延在されて保持部１５に保持された収納位置に至ると、検出機構２１が送話器２が収納位置にあることを検出し、その検出信号に応じて通話の終了が指示される。この検出機構２１は、装置本体１側に配設したホール素子２２に、送話器２側の磁性体２３が対向し、磁性体２３からの磁束がホール素子２２によって検出されることにより、送話器２が収納位置に位置することを示す検出信号を出力する。
メニューキー１０ｇは、表示部２５に表示される画面を初期画面とメニュー画面との間で切り換えを行うキーである。例えば、表示部２５の画面を図７（Ａ）に示すように初期画面となし、この初期画面の状態でメニューキー１０ｇが押されると、図７（Ｂ）に示すようにメニュー画面の１画面に表示が切り替えられ、さらに、後述するスクロール機能により１画面ずつ頁をめくるように、例えば図７（Ｃ）に示すような画面に切り換えられる。これに対してメニュー画面が表示されている状態で、このメニューキー１０ｇを押せば、どの画面にあっても直ちに初期画面に戻される。なお、クリアキー１０ｈを用いれば、図８に示すように１画面ずつ頁をめくるように前画面に戻ることができる。
また、メニューキー１０ｇには、操作入力手段を構成する操作キー機構１０を構成する各キー１０ａ〜１０ｈ、録音キー１０ｉ及び回転操作キー１０ｊの入力操作を禁止するキーロック状態を解除する機能を備えている。
録音キー１０ｉ、は通話中の会話の録音とその再生を制御するのに用いられるキーであり、装置本体１を保持した手でそのまま操作できるように、装置本体１の上面であって、送話器２が配設される側と対向する位置に取付けられている。
最後に、操作入力手段を構成する回転操作キー１０ｊについて説明する。この回転操作キー１０ｊは、図２に示すように、装置本体１の送話器２が配設される側と対向する他側面に形成た膨出部５の基部側に配設されてなるので、録音キー１０ｉと同様に保持した手でそのまま操作可能となされている。
回転操作キー１０ｊは、円周方向及び半径方向についてそれぞれ独立に操作できるようになされてたもので、図９に示すように、回転軸Ｏを中心として図９中矢印Ｃ方向及び矢印Ｄ方向の円周方向に回動するロータリーエンコーダを構成する円板状の部材と、図９中矢印Ｅ方向及びＦ方向の半径方向にスライドし得るスライド板（図示せず）及びスライドスイッチＳＷとによって構成されている。ここでスライド板及びスライドスイッチＳＷは、図９中矢印Ｅ方向に付勢されている。
なお、回転軸Ｏは、スライド板に対して固定されており、回転操作キー１０ｊが、図９中矢印Ｆ方向に押された場合には、ロータリーエンコーダがスライド板と一体にスライドされ、スイッチＳＷを押し下げてオン状態に制御される。ＣＰＵ３１は、このスイッチＳＷのオンオフ状態を検出することによって回転操作キー１０ｊがクリックされたか否かを判別している。
そして、スライド板と一体にスライドされるロータリーエンコーダは、図１０に示すように、２枚の円板６１及び６２によって構成されている。このうち一方の円板６１は他方の円板６２の上面に積層された可動部材であり、スライド板に固定された他方の円板６２に対して相対的に回動し得るように取付けられている。ここで、可動側の一方の円板６１には１組の対向電極６３が設けられている。この対向電極６３は、組み立てたとき、他方の円板６２の円周に沿って設けられた２０組の対向電極６４と摺接し得るようになされている。固定側の他方の円板６２に設けられた対向電極６４は、内周側と外周側とで位置がわずかずつずれて形成されている。
従って、回転操作キー１０ｊを図９中矢印Ｃ方向に回動すると、対向電極から出力される電位は、図１２（Ａ）に示すように内周側の電位が先に接地電位に立ち下がるのに対し、図９中矢印Ｄ方向に回動すると、図１１（Ｂ）に示すように外周側の電位が先に接地電位に立ち下がり、内周側の電位と外周側の電位のいずれが先に立ち下がるかを検出することにより、回転操作キー１０ｊの回動方向が検出される。また、回転操作キー１０ｊの回転量は、外周側の電極から出力されるパルスの数をカウントすることにより検出することができる。
続いて、回転操作キー１０ｊを用いた代表的な操作例を説明する。まず、表示部２５上にリスト画面が表示されている場合、回転操作キー１０ｊを円周方向にアップ又はダウン操作することにより、表示部２５上に表示されるカーソルＫを上下方向に移動でき、表示項目のうちの１つを選択できるようになされている。この状態で回転操作キー１０ｊを半径方向に押せば（以下、クリックという）、カーソルＫの位置する項目に関する詳細情報の読み出しがＣＰＵ３１に指示される。
また、電話帳リストが表示されている場合、回転操作キー１０ｊを所定時間、押し続けることによって発呼開始を指示できる。通話中に回転操作キー１０ｊを円周方向に回動操作することによって受話音量の大きさが調整される。また、通話中に回転操作キー１０ｊをクリックすることによって、通話音声を一旦遮断するミュートが行われる。
回転操作キー１０ｊの発呼時における代表的な使用例をフローチャートにまとめると図１２に示すようになる。
すなわち、電話帳やリダイヤル画面等のリスト画面が表示されている状態で回転操作キー１０ｊをクリックすることによって選択した項目の詳細情報を画面上に表示でき、この状態で回転操作キー１０ｊを所定時間クリックし続けると、カーソル位置に表示された相手先に自動的に発呼が開始される。これに対し、回転操作キー１０ｊを回動操作し、カーソルＫをアップ操作又はダウン操作すれば元のリスト画面に戻すことができる。
ここで、上述したような各機能が付与された複数の操作キー１０ａ〜１０ｊからなる操作入力機構１０を備えた本発明に係る通信端末装置における操作入力機構１０の入力操作状態を、図１３を用いて説明する。
まず、電源キー１０ａが操作され、電源が投入された状態でユーザからパーソナルアイデンテティ番号（ＰＩＮ：Personal ID number）が入力されると、外部からの送信信号の受信を可能となす状態に設定される。ステップＳ１０１で、操作入力機構１０を構成するメニューキー１０ｇ以外の他の操作キー１０ａ〜１０ｆ及び１０ｈ〜１０ｊのいずれかが操作されると、ステップＳ１０２で、検出機構２１により、送話器２が装置本体１の一側面に近接した保持体１５に収納保持された収納位置にあるか否かが判別される。ステップＳ１０２において、送話器２が回転支持機構１４を中心にして図１中矢印Ａ方向に回動操作され、装置本体１から取り出された開放位置に回動されたことを示す検出信号が検出機構２１により出力されるとステップＳ１０３に進み、ＣＰＵ３１は、操作キー１０ａ〜１０ｊによる入力操作を受け入れ可能となす。そして、いずれかの操作キー１０ａ〜１０ｊをユーザが操作することにより、その操作された操作キー１０ａ〜１０ｊに付与された機能に対応する操作が実行される。例えば、メニューキー１０ｇが操作されると、メニューモードが設定され、表示部２５に表示された初期画面がメニュー画面に切り換えられる。あるいは、回転操作キー１０ｊの操作を受け入れ、回転操作キー１０ｊを用いた発呼操作が実行される。また、後述するように、操作キー１０ｂを用いた電話帳リストへの電話番号等の登録及び編集の実行を可能となす。
一方、ステップＳ１０２において、送話器２が回転支持機構１４を中心にして図１中矢印Ｂ方向に回動操作されて保持部１５に保持された収納位置にあることを示す検出信号が検出機構２１により出力されるとステップＳ１０４に進む。ステップＳ１０４では、メニューキー１０ｇが操作されたか否かが判断される。メニューキー１０ｇが操作されていないことが判別されると、初期モードが維持され表示部２５に初期画面が表示された状態に置かれる。メニューキー１０ｇが操作され操作されたことが判別されると、ステップＳ１０５に進み、ＣＰＵ３１は、メニューモードを設定し、表示部２５にメニュー画面を表示させる。
次に、メニューモードが設定されると、ステップＳ１０６において、ＣＰＵ３１は、メニューモードが設定された後の経過時間を判別する。ステップＳ１０６において、いずれの操作キー１０ａ〜１０ｊも一定時間操作されないことがＣＰＵ３１で検知されると、ステップＳ１０７に進み、ＣＰＵ３１は、各キー１０ａ〜１０ｊの入力操作を無効となすとともに、表示部２５に表示されたメニュー画面を自動的に閉じて初期画面に戻す。
そして、ステップＳ１０８おいて、一定時間内に各キー１０ａ〜１０ｊのいずれかが操作されるとステップＳ１０９に進む。ステップＳ１０９では、ＣＰＵ３１において、操作されたキーがメニューキー１０ｇか否かが判別される。ここで、メニューキー１０ｇが再度操作されたことが判別されると、ステップＳ１１０に進み、ＣＰＵ３１は、表示部２５にメニュー画面を表示させたメニューモードを終了させ、再びメニューキー１０ｇ以外の他の操作キー１０ａ〜１０ｆ及び１０ｈ〜１０ｊを用いた入力操作を禁止する初期モードとなす。
一方、ステップＳ１０９において、メニューキー１０ｇ以外の他の操作キー１０ａ〜１０ｆ及び１０ｈ〜１０ｊが操作されたことがＣＰＵ３１によって判別されると、ステップＳ１１１に進む。そして、ＣＰＵ３１は、メニューキー１０ｇ以外の操作キー１０ａ〜１０ｆ及び１０ｈ〜１０ｊを用いた入力操作を受け入れる。例えば、回転操作キー１０ｊの操作を受け入れ、回転操作キー１０ｊを用いた発呼操作が実行される。
次に、本発明に係る通信端末装置が備える様々な発信方法を具体的に説明する。
この通信端末装置には、図１４及び図１５に示すように５通りの発信方法が用意されている。これらは電話帳リストを用いた発信方法、リダイヤル機能を用いた発信方法、電話番号を直接入力する発信方法、短縮ダイヤル機能を用いた発信方法に分類することができる。まず電話帳リスト画面からの発信方法について説明する。
この電話帳リスト画面からの発呼を行うには、送話器２を装置本体１の収納位置から回動させ、マイクロホンユニット１３を装置本体１から隔離させた突出位置に移動させた状態、又は外部マイクが装置本体１に接続された状態、又はハンズフリーキットが装置本体１に接続された状態のいずれかの状態で回転操作キー１０ｊをクリックすると、表示部２５上の表示は図１６（Ａ）の初期画面から図１６（Ｂ）に示す電話帳リスト画面に切り替わる。
ここで電話帳リストは、図１７に示すように、「１」から「９」のアドレス番号と登録された使用頻度の高い相手先とが組として表示される使用頻度別表示欄と、登録されている相手先を全て降順、例えばＡＢＣ・・順に表示する降順表示欄（すでに「１」から「９」のアドレス番号に登録されているものを含む）とになる。
なお、送話器２が装置本体１の収納位置にあることが検出機構２１によって検出された状態にあっても、通信端末装置が初期モードにある場合には、メニューキー１０ｇを操作することにより上述のようにメニューモードが設定され、回転操作キー１０ｊを用いた入力操作が可能となる。従って、送話器２が装置本体１の収納位置にある場合であっても、発信操作が可能となる。
以下に説明する発信方法においても、メニューキー１０ｇを操作してメニューモードを設定することにより、同様に発信操作を行うことが可能となる。
ここで、電話帳リストに切り替わった直後におけるカーソルＫの位置は、表示部２５に表示される表示項目の１番上、すなわちアドレス番号「１」に位置している。この状態で回転操作キー１０ｊを、図１０中矢印Ｄ方向の下向きに回転させればカーソルＫを「２」、「３」・・と順に移動させることができ、その反対に図１０中矢印Ｃ方向の上向きに回転させれば降順表示欄の一番下から逆向き、すなわちＺＹＸ・・の順にカーソルＫを移動させることができる。
カーソルＫの移動による相手先の選択方法には、回転操作キー１０ｊによる操作の他、アドレス番号の入力による選択方法やアルファベットの入力による選択方法がある。例えば、相手先の電話番号が、すでに数字キー１０ｂの「１」〜「９」キーのいずれかのアドレス番号に登録されており、且つそのアドレス番号が分かっている場合には、その番号の数字キー１０ｂを押せばカーソルＫを一足飛びに移動させることができる。図１８がその一例である。
また、リスト画面がアルファベット順の表示画面の場合には、「１」〜「９」の数字キー１０ｂによって対応するアルファベットへカーソルＫを移動させることができる。例えば、「２」の数字キー１０ｂを押せば「ａ」にカーソルＫを移動させることができ、また「３」数字キー１０ｂを押せば「ｄ」にカーソルＫを移動させることができる。ここで、「ｄ」から始まる名前がない場合には「ｅ」から始まる名前にカーソルＫを移動させて表示し、さらに「ｅ」から始まる名前がない場合にはそれ以降に存在する名前であって最も近い名前にカーソルＫを移動させて表示させるようになされている。
ここでは図１６（Ｃ）に示すように、アドレス番号「５」に登録されている「Ｊａｃｋ」の位置にカーソルＫを移動させたものとして、続く発呼手順を説明する。この状態からの発呼手順には複数の方法がある。ここでは、回転操作キー１０ｊを用いる方法を説明する。
この状態で回転操作キー１０ｊをクリックすると、表示画面は図１６（Ｄ）に示すように詳細情報表示欄に切り替わる。そしてこの状態で回転操作キー１０ｊを１秒間クリックし続けると、発呼が開始される。このとき表示部２５は、図１６（Ｅ）に示すように点滅する。
図１６（Ｄ）のように詳細情報が表示された状態で発呼先を変更したい場合には、回転操作キー１０ｊを図１０中矢印Ｃ方向の上方向又は図１０中矢印Ｄ方向の下方向に回転操作すれば良い。例えば、図１９（Ｂ）の表示画面で回転操作キー１０ｊを図１０中矢印Ｃ方向の上方向に回転操作すると、表示画面は詳細情報の画面から１つ上の階層に属するリスト画面に戻すことができる。但し、カーソルＫの位置は、詳細情報が表示されていた相手先に対して１項目上の項目に移動する。すなわち、図１９（Ｃ）に示すように、カーソルＫはアドレス番号「５」の「Ｅｌｌｉｓ」に代えてアドレス番号「４」の「Ｊｏｈｎ」の上に移動する。
図１６（Ｄ）のように詳細情報が表示された状態のまま所定時間、例えば３０秒に亘ってなんらの操作がない場合には、発呼されないものとして電話帳リストを閉じて図１６（Ａ）に示す初期画面に戻る機能も設けられている。これにより、詳細表示画面のまま通信端末装置を鞄等に入れて持ち運ぶような場合に、たまたま発呼を開始し得るキーが押下されることがあっても誤発信しないようになされている。この機能はリスト画面が表示されている場合にも同様に機能する。
なお、電話帳リスト画面からの発呼を開始する方法にはこれらの他、図１６（Ｄ）に示す表示画面において、センドキー１０ｅを押す発呼方法もある。これらは相手先の詳細情報を表示させた後に発呼を開始する方法であるが、この通信端末装置には、リスト画面から直接発呼を開始する機能も設けられている。例えば、図１６（Ｃ）に示す表示画面の状態でセンドキー１０ｅを押せば、カーソルＫの位置する通信先に直ちに発呼を開始することができる。同様に、通信先に対応する数字キー１０ｂを１秒間押し続けることによっても、直ちに発呼を開始させることがでる。
続いて、図１４（Ｇ）〜図１４（Ｊ）にリダイヤルリスト画面からの発信操作を説明する。このリダイヤルリスト画面は初期画面の状態でセンドキー１０ｅを押すと開くことができる。すなわち図１４（Ａ）の画面でセンドキー１０ｅを押すと、電話帳リストから発呼した場合の過去の発呼先である相手先名や、電話番号を直接手入力した場合の電話番号が図１４（Ｇ）に示すように表示されることになる。この状態から発呼先の選択する操作や発呼するときの操作は、電話帳リストから発呼する場合と同様である。
図１４（Ｇ）のリストが表示された状態のまま所定時間、例えば３０秒に亘ってなんらの操作がない場合には、発呼しないものとして電話帳リストを閉じて図１４（Ａ）に示す初期画面に戻る機能も設けられている。これにより詳細表示画面のまま通信端末装置を鞄等に入れて持ち運ぶような場合に、たまたま発呼を開始し得るキー入力があった場合にも誤発信されないようになされている。
また、この通信端末には通信先に対して前回どれくらいの間通話したかの情報や今回の通話時間を表示する機能が設けられている。例えば、図１４（Ｈ）に示すように前回の通話時間を「4:24」として表示し、また図１４（Ｊ）に示すように今回の通話時間を「0:00:55」として表示している。
次に、電話番号の入力によって発呼を行う操作手順を説明する。
この場合には、図１４（Ａ）の初期画面の段階で相手先の電話番号をそのまま入力すれば良い。すると表示画面は図１４（Ａ）の状態から図１４（Ｋ）の状態に移り、ユーザが入力した電話番号が大フォントで表示されることになる。この番号が良ければ、センドキー１０ｅの押操作によって図１５（Ｌ）の画面のように画面の点滅が開始し始め、相手先への発呼が開始される。
次に、短縮ダイヤルの入力によって発呼を行う操作手順を説明する。
この発信方法には、２種類の発信方法が用意されている。一方は数字キー１０ｂを所定時間の間押し続けることによる発信方法であり、他方は数字キー１０ｂと「＃」キー１０ｃを用いる発信方法である。
まず数字キー１０ｂだけを用いる場合を、図１５（Ｏ）〜図１５（Ｐ）を参照して説明する。ユーザは表示画面が図１４（Ａ）の状態で発信しようとする相手先のアドレス番号に対応する数字キー１０ｂを例えば１秒間押し続ける。このようにすると表示部２５に表示される画面は、直ちに詳細表示画面に切り替わってそのまま発呼が開始される。
次に数字キー１０ｂと「＃」キー１０ｃを用いる場合を図１４（Ｑ）〜図１５（Ｓ）を参照して説明する。ユーザは図１４（Ａ）に示す表示画面で発信しようとする相手先のアドレス番号に対応する数字キー１０ｂを押した後、「＃」キー１０ｃを押すことにより詳細表示画面に画面を切り替える。そしてこの状態でセンドキー１０ｅを押すことによって発呼を開始する。
次に、これら電話帳リストに電話番号等を登録する方法及び編集方法を説明する。
まず、メニューキー１０ｇを押してメニュー画面を開き、この画面上で「Telbook edit」を選択することにより電話番号等を登録できる状態にする。ここからの登録方法には２通りある。まず１つ目は「新規登録」の項を指定して新たな電話番号を入力する方法である。ユーザは新たに発信先を登録したい場合、回転操作キー１０ｊを操作してカーソルＫを「新規登録」の項に移動させ、その状態で回転操作キー１０ｊをクリックする（図２０（Ｂ）参照）。
すると表示画面は、図２０（Ｃ）に切り替わり、名前の入力を促す文字が表示される。この状態でユーザが数字キー１０ｂを操作すると、入力された文字が大フォントのアルファベットで表示されるようになる。ここで、入力した文字を登録して良ければ、ユーザは回転操作キー１０ｊをクリックし、続く電話番号の登録場面に移る。そして入力した電話番号を登録して良ければ再度回転操作キー１０ｊをクリックすれば良い。すると新たに入力された名前等が、図２０（Ｄ）に示すように、電話帳リストの空きエリアに登録される。
もう１つの方法は、未登録のアドレス番号を選択して名前を登録する方法である。この場合、図２１（Ａ）及び（Ｂ）に示すように、カーソルＫを未登録アドレス番号に移動させる。この例の場合は「７」である。この状態で回転操作キー１０ｊをクリックすると、表示部２５上には名前の入力を促す文字が表示される。
この後は、先に説明した登録手順と同様に対応する数字キー１０ｂを操作することによって相手先名を入力し、正しければ回転操作キー１０ｊをクリックして登録する。続いて図２１（Ｄ）のように画面上に表示される指示に従い電話番号を入力し、同じく回転操作キー１０ｊをクリックすると、入力された電話番号を登録することができる。これらが電話帳リストの登録手順である。
一方、編集時には、図２２（Ａ）及び（Ｂ）に示すように編集しようとする名前の上にカーソルＫを移動させて回転操作キー１０ｊをクリックすれば良い。このように、既に登録済みの項目が選択されたときには、編集モードに入る。編集モードに入ると、画面上には編集しようとする相手先名と変更（edit）、削除（delete）、入れ替え（swap）の如き編集内容が表示される。ユーザは、ここで回転操作キー１０ｊを操作することにより編集内容を選択する。
例えば、削除が選択された場合、表示部２５の表示画面は、図２３（Ｄ）のように、登録内容を消去して良いか否かを再度確認する画面となる。このとき「Yes」が選択されると、消去動作が実行される。
これに対し、入れ替えが選択された場合、表示部２５の表示画面は図２２（Ｆ）に切り替わり、どのアドレス番号の登録内容と入れ換えるかの入力を促す表示画面となる。ここで、入れ換えるアドレス番号が入力されて回転操作キー１０ｊがクリックされると、入れ替え動作が実行され、入れ替え後の登録内容が図２２（Ｇ）のように表示される。この例は、「８」と「６」とを入れ換える場合である。
また、変更が選択された場合、相手先名及び電話番号のいずれについても変更できるように各項目についての変更を受け付ける画面が図２２（Ｈ）及び（Ｉ）に示すように順次表示されている。この状態で回転操作キー１０ｊをクリックして変更内容を確定すると、表示画面は図２２（Ｊ）に切り替わる。
最後に、操作キー機構１０を構成するメニューキー１０ｇが操作され、メニューモードが設定され表示部２５に表示されるメニュー画面について説明する。このメニュー画面が階層的に構成されており、回転操作キー１０ｊのクリック操作によって下位の階層であるサブメニュー画面に降りることができる。ここで図２３は、通信端末装置に用意されている最上位階層のメニュー画面Ｗ１〜Ｗ１０を示し、図２４〜図２７はその下位階層に属するサブメニュー画面を示している。
まず、第１のメニュー画面Ｗ１は、「電話帳（Telbook）」の編集用及び「モード（mode）」の設定用である。「電話帳」の項を選択することによって、新たな電話番号等を登録したり登録内容を編集が行われる。一方、「モード」の項を選択すると、図２４（Ａ）に示すメニュー画面に表示が切り替わり、使用環境に適した設定条件が選択される。この例の場合、選択できる使用環境は、「ノーマルモード」、「ポケットモード」、「サイレントモード」、「ドライビングモード」の４つである。
例えば、ポケットモードを選択すると、呼出音を最大となすリンガオンとなり、且つキーロック機能が能動状態となされる。これにより呼出音が聞こえ難い状況下で使用する場合にも、呼出音を確実に聞き取ることができ、また操作と無関係なキー入力を受け付けないようにすることができる。
また、サイレントモードを選択すると、呼出音が聞こえないリンガオフとなり、その代わりに表示部２５が点滅されて着呼を知らせるようになる。。これにより電車等に乗っている場合にも、周囲の人に迷惑をかけずに着呼を知ることができる。また、このモード時には無応答時に回線を自動的に切る機能が設定される。
また、ドライビングモードが選択されると、着呼時に自動的に通話を開始することができる。
第２のメニュー画面Ｗ２は、「ショートメッセージ機能（ＳＭＳ）」の設定用である。このメニュー画面には、「消去（Delete）」、「送信（Make Send）」、「読み込み（Read）」の３つの項が表示される。ここで「送信」を選択すれば、さらに下位のメニュー画面において、送信する文章を新規に作成するか、パターン文章を使用するか、以前送信した文章でストアしているものを利用するか、又は以前受信した文章でストアしているものを利用するかを選択することができる。
これに対して「読み込み」を選択すれば、同様に下位のメニュー画面において、読み込んだ内容をストアするか、消去するか、電話でリプライするか、ショートメッセージをリプライするか選択できる。
第３のメニュー画面Ｗ３は、「時間機能（Time）」の設定用である。このメニュー画面によって「設定（set）」、「アラーム（alarm）」、「スリープ（sleep）」、「ウェイクアップ（wake up）」を各々選択することによって現在時刻の設定やアラームを鳴らす時間及びオン／オフの設定等がそれぞれ設定できる。
第４のメニュー画面Ｗ４は、「パブリック・ライディット・モービル・ネットワーク（ＰＬＭＮ）機能」の設定用である。このメニュー画面では、「選択モード（Sel mode）」と「サーチ（Search）」の項が表示される。前者はネットワークをマニュアル設定とするか自動設定とするかの選択に用いられ、また、後者は現在使用できるネットワークの自動検索して表示する機能である。
第５のメニュー画面Ｗ５は、「パーソナルＩＤナンバー（ＰＩＮ）機能」の設定用である。このメニュー画面では、「コントロール（control）」と「チェンジ（change）」の項が表示される。前者によって、ＩＤナンバーの入力を使用時の必須条件とするか否かを設定できる。これにより特定の人しか使用できないようにするか否かを設定できる。また、後者によってＩＤナンバーを変更できるようになされている。
第６のメニュー画面Ｗ６は、「転送（Forward）機能」の設定用である。このメニュー画面では、「問い合わせ（Intrro）」、「解除（Erase）」、「設定（Regist）」の項が表示される。最初の項の「問い合わせ」は、転送サービスをネットワーク側に問い合わせる機能であり、「解除」と「設定」は、それぞれ転送先等の解除と設定に用いられる。
第７のメニュー画面Ｗ７は、「発信（BarOut）機能」の設定用である。このメニュー画面では、「自ＰＬＭＮ外の国際呼の制限（BOIC-exHC:Barring of Outgoing International Calls except those directed to the HPLMN Coutry）」、「国際呼の制限（BOIC:Barring of Outgoing International Calls）」、「発信制限（BAOC:Barring of All Outgoing Calls）」の項が表示される。各項目の選択により、発信機能が設定される。
第８のメニュー画面Ｗ８は、「着信（BarCome）機能」の設定用である。このメニュー画面では、「自ＰＬＭＮ外でローミング時の着信制限」、「着信制限（BAIC）」の項が表示される。やはり各項目の選択により着信機能を設定できる。
第９のメニュー画面Ｗ９は、「課金（Charge）情報」の設定用である。このメニュー画面では、「リセット（Reset）」と「チェック（Check）」の項が表示される。例えば、前者は課金情報のリセット用であり、また後者は総料金を表示する機能である。
第１０のメニュー画面Ｗ１０は、「設定用リスト（Setting List）」画面であり、図２４に示す各種項目について設定できるようになされている。このメニュー画面の次の画面を指示すると、第１のメニュー画面Ｗ１に戻る。
この設定用リストの下位には、５個のサブメニュー画面が用意されているため順に説明する。まず、第１のサブメニュー画面ＳＷ１には、「Call ID PRESENT」、「Language select」、「ANY KEY ANSWER」、「1 Min BEEP」の４つの項目が表示される。ここで「Call ID PRESENT」は、相手先に自己の電話番号を伝送する機能の設定用であり、また、「ANY KEY ANSWER」は、着信時にどのキーを押しても通話できる機能の設定用である。さらに、「1 Min BEEP」は通話１分ごとにビープ音を出して時間の経過を知らせる機能の設定用である。
第２のサブメニュー画面ＳＷ２には、「呼出音選択（Ringer Select）」、「低信号レベル警告（LowSignal Warn）機能」、「低バッテリー警告（LowBattery Warn）機能」、「呼出音量（Ringer Volume）機能」の４つが表示される。ここで、「呼出音選択」は、図２６に示すように３つの呼び出し音の中から１つの呼び出し音を選択する機能であり、また、「呼出音量機能」は、図２７に示すように、３段階の音量の中から適切な音量を設定するのに用いる機能である。
第３のサブメニュー画面ＳＷ３には、輝度の設定に用いられる「LCD Density」、パーソナルＩＤナンバーの変更に用いられる「Change PIN2」、背景ノイズが多いとき音声を自動的に大きくする「AutoVolume CTRL」、「Noise Reduction」の４つの項が表示される。
第４のサブメニュー画面ＳＷ４には、表示部２５に時刻を表示するか否かを設定するのに用いる「Clock Display」、サービスセンタのアドレス変更に用いられる「SMS ServCenter」、メッセージが相手方に付いたか否かを表示するかどうかを設定する「SMS Enquiry」、ショートメッセージをファックスに送るかどうかを設定する「SMS Telmatic」の４つの項目が表示される。
第５のサブメニュー画面ＳＷ５には、ショートメッセージに重要度に応じて重みを付けるための「SMS Class」、付加サービス内における発着信を規制するパスワードの変更に用いられる「Change Password」、上限を越える発着を制限する機能の設定に用いる「Charge ACMM」の３つの項目が表示される。
続いて同階層に属する複数枚のメニュー画面又はサブメニュー画面を高速に頁めくりするため、通信端末装置に採用されているスクロール機能を図２８及び図２９を用いて説明する。
このスクロール機能は、カーソルＫが各頁の１番上の項目に位置しているときにカーソルＫのアップが指示されるとき、１つ前の頁に表示が切り替わるとともに、表示される項目のうち１番上の項目にカーソルＫを移動させることができる機能であり、またカーソルＫが各頁の１番下の項目に位置しているときにカーソルＫのダウンが指示されると、次の頁に表示が切り替わるとともに、表示される項目のうち１番下にカーソルＫを移動させることができる機能である。
これにより遠く離れたメニュー画面に表示されている項目を選択する場合にも、すばやくカーソルＫを移動できるようになされている。
なお、上述の実施例においては、カーソルＫの移動と項目の確定に用いる入力装置として回転機構及びクリック機能を有する回転操作キー１０ｊを用いる場合について述べたが、カーソルＫの移動を入力する操作方向と選択された項目の確定する操作方向とが異なる入力装置であれば他の構造の入力装置を広く用いることができる。
例えば、回転角が所定角度に制限されたいわゆる回転操作式の操作キーを用いても良い。またクリック機構付きのトラックボールやスライド式の操作レバーを用いても良い。またクリック機構付きのスライドスイッチを用いても良い。これらを用いても、上述の実施例の場合と同様、操作キー数の少ない携帯性に優れた通信端末装置を実現することができる。
さらに上述の実施例においては、回転操作キー１０ｊのアップダウン操作をカーソルＫの上下移動に用いる場合について述べたが、回転操作キー１０ｊのアップダウン操作をカーソルＫの左右方向への移動に用いても良い。
さらに、上述の実施例においては、電話帳の詳細情報が表示されている画面で回転操作キー１０ｊがアップ操作された場合には、表示画面を上位階層のメニュー画面、すなわち相手先名のリスト画面に切り替え、かつカーソルを詳細情報が表示されていた相手先の上に表示されている欄に移動させる場合について述べたが、図３０に示すように、アップ操作された場合には１つ上の項目の詳細情報を表示し、またダウン操作された場合には１つ下の項目の詳細情報を表示するようにしても良い。この場合、リスト画面に戻るにはクリアキー１０ｈを用いれば良い。
さらに、上述の実施例においては、電話帳リストに相手先名をアルファベットで入力する場合について述べたが、片仮名で入力できるようにしても良い。
さらにまた、上述の実施例においては、使用頻度の高い相手先名を表示する登録欄から相手先名をアルファベットの降順に表示する降順表示欄への切換には回転操作キー１０ｊを用いる場合について述べたが、専用の操作キーや既存の操作キー、例えば「＃」キー１０ｃを兼用して表示を切り替えるようにしても良い。
さらにまた、上述の実施例においては、表示部２５上に表示される文字や数字を、２種類のフォントを用いて表示する場合について述べたが、大フォント及び小フォントの２種類の他に中間的なフォントを用意しても良い。
さらにまた、上述の実施例においては、加入者に関する一切の管理情報を記憶するＩＤカードとしてＳＩＭカードを用いる場合について述べたが、他の規格を満たすＩＤカードを用いても良い。
さらにまた、上述の実施例においては、カーソルＫが頁の１番上の項目に位置するときにアップ操作があるとカーソルＫを前頁の１番上までジャンプさせると共に、カーソルＫが頁の１番下の項目に位置するときにダウン操作があるとカーソルＫを次頁の１番下までジャンプさせる場合について述べたが、アップ操作の場合のみこのスクロール機能が動作するようにしても良く、またダウン操作の場合のみこのスクロール機能が動作するようにしても良い。
またこれに限らず、カーソルＫが頁上のどの位置にあってもダウン操作があると次頁にカーソルＫを移動させ、アップ操作があると１項目ずつカーソルＫの位置を上げるようにしても良い。また、これとは逆にアップ操作があった場合には、カーソルＫの頁上の位置によらず前頁にカーソルＫを移動させ、ダウン操作があった場合には１項目ずつカーソルＫを下げるようにしても良い。
産業上の利用可能性
本発明に係る通信端末装置は、装置本体に対し収納位置と装置本体から引き出された通話位置との間に亘って移動可能となされた音声入力部を構成する送話器の位置を検出して得られる検出信号に基づいて、操作モードの設定等を行う操作入力機構の入力操作を制御してなるので、操作機能の多機能化を実現することができるので、多数の機能を容易に実行でき、操作機能の多機能化を実現るため、操作キーを増加する必要がないので、装置本体の小型化を容易に実現できる。
また、送受信時において装置本体に対する位置が可変される音声入力部の位置を検出することによって、操作入力機構から入力される動作モードを制御してなるので、誤操作を生じることなく各操作モードを実行することができる。
【図１】
0003885234.tif 000002
【図２】
0003885234.tif 000003
【図３】
0003885234.tif 000004
【図４（Ａ）】
0003885234.tif 000005
【図４（Ｂ）】
0003885234.tif 000006
【図５（Ａ）】
0003885234.tif 000007
【図５（Ｂ）】
0003885234.tif 000008
【図６】
0003885234.tif 000009
【図７】
0003885234.tif 000010
【図８】
0003885234.tif 000011
【図９】
0003885234.tif 000012
【図１０（Ａ）】
0003885234.tif 000013
【図１０（Ｂ）】
0003885234.tif 000014
【図１１（Ａ）】
0003885234.tif 000015
【図１１（Ｂ）】
0003885234.tif 000016
【図１２】
0003885234.tif 000017
【図１３】
0003885234.tif 000018
【図１４】
0003885234.tif 000019
【図１５】
0003885234.tif 000020
【図１６】
0003885234.tif 000021
【図１７】
0003885234.tif 000022
【図１８】
0003885234.tif 000023
【図１９】
0003885234.tif 000024
【図２０】
0003885234.tif 000025
【図２１】
0003885234.tif 000026
【図２２】
0003885234.tif 000027
【図２３】
0003885234.tif 000028
【図２４】
0003885234.tif 000029
【図２５】
0003885234.tif 000030
【図２６】
0003885234.tif 000031
【図２７】
0003885234.tif 000032
【図２８】
0003885234.tif 000033
【図２９】
0003885234.tif 000034
【図３０】
0003885234.tif 000035